(57)【要約】【課題】バッテリ消費を抑えつつ、番組に関する情報を枯渇することなく取得することができるようにする。【解決手段】受信制御部１２１は、ワンセグチューナ１０６で受信された番組のデータやL-EITデータを取得する。番組情報取得部１２２は、受信制御部１２１から供給されたL-EITデータに記述されている番組情報を取得し、それをDB１２４に記憶させる。データ管理部１２５は、DB１２４に記憶されている各チャンネルの番組情報を管理し、番組情報が枯渇するタイミングで、番組情報が枯渇するチャンネルのL-EITデータの取得を受信制御部１２１に指示する。表示制御部１２３は、番組の映像、受信可能なチャンネルのリスト、およびデータ管理部１２５から供給された番組情報を表示させる。本発明はワンセグチューナを有する機器に適用することができる。【選択図】図６
2007201683.tif 000002
【特許請求の範囲】
【請求項１】
放送される番組と、前記番組に関する情報を受信する情報処理装置において、
選局されたチャンネルで放送される現在の番組に関する情報、および次の番組に関する情報を取得する取得手段と、
所定時間帯に受信可能なチャンネルのリストを表示させるとともに、前記取得手段により取得された前記現在の番組に関する情報を対応するチャンネルに並べて表示させる表示制御手段と、
前記取得手段により取得された前記番組に関する情報が枯渇するタイミングを管理する管理手段と
を備え、
前記番組に関する情報が枯渇するタイミングになったとき、前記取得手段は、新たに次の番組に関する情報を取得する情報処理装置。
【請求項２】
前記取得手段により取得された前記現在の番組に関する情報および次の番組に関する情報を前記チャンネルに対応付けて記憶する記憶手段をさらに備える
請求項１に記載の情報処理装置。
【請求項３】
前記取得手段は、現在の番組に関する情報を含めて、最大で１０番組の番組に関する情報を取得する
請求項１に記載の情報処理装置。
【請求項４】
前記番組に関する情報には、少なくとも、番組名、前記番組の放送開始時刻、および前記番組の放送時間が含まれており、
前記管理手段は、前記番組の放送開始時刻と前記番組の放送時間に基づいて、前記番組に関する情報が枯渇するタイミングを管理する
請求項１に記載の情報処理装置。
【請求項５】
前記番組に関する情報が枯渇するタイミングは、前記番組の放送終了時刻の所定時間前である
請求項４に記載の情報処理装置。
【請求項６】
前記番組は、ワンセグ放送によって提供される
請求項１に記載の情報処理装置。
【請求項７】
放送される番組と、前記番組に関する情報を受信する情報処理装置の情報処理方法において、
選局されたチャンネルで放送される現在の番組に関する情報、および次の番組に関する情報を取得し、
所定時間帯に受信可能なチャンネルのリストを表示させるとともに、前記取得手段により取得された前記現在の番組に関する情報を対応するチャンネルに並べて表示させ、
取得された前記番組に関する情報が枯渇するタイミングを管理し、
前記番組に関する情報が枯渇するタイミングになったとき、新たに次の番組に関する情報を取得する
ステップを含む情報処理方法。
【請求項８】
番組の録画と、録画済みの番組の部分の再生を並行して行うことが可能な情報処理装置の情報処理をコンピュータに実行させるプログラムにおいて、
放送される番組と、前記番組に関する情報を受信する情報処理装置の情報処理をコンピュータに実行させるプログラムにおいて、
選局されたチャンネルで放送される現在の番組に関する情報、および次の番組に関する情報を取得し、
所定時間帯に受信可能なチャンネルのリストを表示させるとともに、前記取得手段により取得された前記現在の番組に関する情報を対応するチャンネルに並べて表示させ、
取得された前記番組に関する情報が枯渇するタイミングを管理し、
前記番組に関する情報が枯渇するタイミングになったとき、新たに次の番組に関する情報を取得する
ステップを含むプログラム。
【発明の詳細な説明】
【技術分野】
【０００１】
本発明は、情報処理装置、情報処理方法、およびプログラムに関し、特に、バッテリ消費を抑えつつ、番組に関する情報を枯渇することなく取得することができるようにした情報処理装置、情報処理方法、およびプログラムに関する。
【背景技術】
【０００２】
近年普及しているハードディスクレコーダなどの録画機器の中には、複数のチューナが搭載されているものがあり、一方のチューナを地上ディジタル放送から提供される番組の視聴用として使用し、他方のチューナを地上ディジタル放送から提供される番組に関する情報（いわゆるEPG（Electronic Program Guide））の取得用として使用することにより、地上ディジタル放送から提供される番組の視聴を行いつつ、番組に関する情報を取得することができる。
【０００３】
このように、ハードディスクレコーダでは、常にすべてのチャンネルで放送される番組に関する情報を取得し、ユーザに提供することが可能である。
【発明の開示】
【発明が解決しようとする課題】
【０００４】
また近年、携帯型のパーソナルコンピュータなどにもチューナが搭載されつつあり、携帯・移動体向けの放送によって提供される番組を受信して画面表示することにより、パーソナルコンピュータのユーザは、外出先でも番組を視聴することができるようになってきた。
【０００５】
ところで、携帯型のパーソナルコンピュータは、主要電源がバッテリとなる場合が多く、バッテリ消費を抑えるために様々な工夫がなされている。
【０００６】
しかしながら、ハードディスクレコーダと同じように番組の視聴を行いつつ番組に関する情報を取得しようとすると、消費電力が大きくなり、無駄にバッテリを消費してしまう。
【０００７】
本発明はこのような状況に鑑みてなされたものであり、バッテリ消費を抑えつつ、番組に関する情報を枯渇することなく取得することができるようにするものである。
【課題を解決するための手段】
【０００８】
本発明の一側面の情報処理装置は、放送される番組と、前記番組に関する情報を受信する情報処理装置において、選局されたチャンネルで放送される現在の番組に関する情報、および次の番組に関する情報を取得する取得手段と、所定時間帯に受信可能なチャンネルのリストを表示させるとともに、前記取得手段により取得された前記現在の番組に関する情報を対応するチャンネルに並べて表示させる表示制御手段と、前記取得手段により取得された前記番組に関する情報が枯渇するタイミングを管理する管理手段とを備え、前記番組に関する情報が枯渇するタイミングになったとき、前記取得手段は、新たに次の番組に関する情報を取得する。
【０００９】
この情報処理装置は、前記取得手段により取得された前記現在の番組に関する情報および次の番組に関する情報を前記チャンネルに対応付けて記憶する記憶手段をさらに設けるようにすることができる。
【００１０】
前記取得手段には、現在の番組に関する情報を含めて、最大で１０番組の番組に関する情報を取得させることができる。
【００１１】
前記番組に関する情報には、少なくとも、番組名、前記番組の放送開始時刻、および前記番組の放送時間が含まれており、前記管理手段には、前記番組の放送開始時刻と前記番組の放送時間に基づいて、前記番組に関する情報が枯渇するタイミングを管理させることができる。
【００１２】
前記番組に関する情報が枯渇するタイミングは、前記番組の放送終了時刻の所定時間前であるようにすることができる。
【００１３】
前記番組は、ワンセグ放送によって提供されるようにすることができる。
【００１４】
本発明の一側面の情報処理方法またはプログラムは、放送される番組と、前記番組に関する情報を受信する情報処理装置の情報処理方法、またはその情報処理をコンピュータに実行させるプログラムにおいて、選局されたチャンネルで放送される現在の番組に関する情報、および次の番組に関する情報を取得し、所定時間帯に受信可能なチャンネルのリストを表示させるとともに、前記取得手段により取得された前記現在の番組に関する情報を対応するチャンネルに並べて表示させ、取得された前記番組に関する情報が枯渇するタイミングを管理し、前記番組に関する情報が枯渇するタイミングになったとき、新たに次の番組に関する情報を取得するステップを含む。
【００１５】
本発明の一側面においては、選局されたチャンネルで放送される現在の番組に関する情報、および次の番組に関する情報が取得され、取得された番組に関する情報が枯渇するタイミングになったとき、新たに次の番組に関する情報が取得される。
【発明の効果】
【００１６】
本発明の一側面によれば、バッテリ消費を抑えつつ、番組に関する情報を枯渇することなく取得することができる。
【発明を実施するための最良の形態】
【００１７】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００１８】
本発明の一側面の情報処理装置（例えば、図１のパーソナルコンピュータ１）は、放送される番組と、前記番組に関する情報を受信する情報処理装置において、選局されたチャンネルで放送される現在の番組に関する情報、および次の番組に関する情報を取得する取得手段（例えば、図６の番組情報取得部１２２）と、所定時間帯に受信可能なチャンネルのリストを表示させるとともに、前記取得手段により取得された前記現在の番組に関する情報を対応するチャンネルに並べて表示させる表示制御手段（例えば、図６の表示制御部１２３）と、前記取得手段により取得された前記番組に関する情報が枯渇するタイミングを管理する管理手段（例えば、図６のデータ管理部１２５）とを備え、前記番組に関する情報が枯渇するタイミングになったとき、前記取得手段は、新たに次の番組に関する情報を取得する。
【００１９】
この情報処理装置は、前記取得手段により取得された前記現在の番組に関する情報および次の番組に関する情報を前記チャンネルに対応付けて記憶する記憶手段（例えば、図６のDB１２４）をさらに備える。
【００２０】
本発明の一側面の情報処理方法またはプログラムは、放送される番組と、前記番組に関する情報を受信する情報処理装置の情報処理方法、またはその情報処理をコンピュータに実行させるプログラムにおいて、選局されたチャンネルで放送される現在の番組に関する情報、および次の番組に関する情報を取得し（例えば、図２０のステップＳ５）、所定時間帯に受信可能なチャンネルのリストを表示させるとともに、前記取得手段により取得された前記現在の番組に関する情報を対応するチャンネルに並べて表示させ（例えば、図２０のステップＳ７またはステップＳ１５）、取得された前記番組に関する情報が枯渇するタイミングを管理し（例えば、図２０のステップＳ６またはステップＳ１４）、前記番組に関する情報が枯渇するタイミングになったとき、新たに次の番組に関する情報を取得するステップ（例えば、図２０のステップＳ１３）を含む。
【００２１】
以下、本発明の実施の形態について図を参照して説明する。
【００２２】
図１は、本発明の一実施形態に係るパーソナルコンピュータ１の外観構成の例を示す斜視図である。
【００２３】
パーソナルコンピュータ１はノートブック型のコンピュータであり、基本的に、本体部１１と表示部１２から構成される。表示部１２は、本体部１１に対して、ヒンジ部１３を介して開閉自在に設けられる。図１は、表示部１２を開いたパーソナルコンピュータ１の状態を示している。
【００２４】
図１に示されるように、表示部１２の内側にはそのほぼ全面にわたってLCD(Liquid Crystal Display)などよりなるディスプレイ２１が設けられ、パーソナルコンピュータ１の側面のヒンジ部１３の位置にはアンテナ２２が設けられる。
【００２５】
アンテナ２２は、ワンセグ（商標）放送に対応したアンテナであり、白抜き矢印で示されるように、取り付け位置を中心として、パーソナルコンピュータ１の側面と平行な面内で回動可能な部材としてヒンジ部１３に取り付けられている。
【００２６】
ここで、ワンセグ放送とは、地上ディジタル放送の１チャンネルあたりの帯域（６MHz）を１３のセグメントに分け、そのうちの１セグメントを利用して提供される携帯・移動体向けの放送である。このワンセグ放送によって、テレビジョン番組の他、テキストデータや静止画データなどのコンテンツが提供される。
【００２７】
ディジタル放送規格では、PSI（Program Specification Information）を拡張し、番組情報などを含めたSI（Service Information）が規定されている。SIには、NIT（Network Information Table）、BIT(Broadcaster Information Table)、SDT（Service Description Table）、EIT（Event Information Table）、SDTT（Software Download Trigger Table）、CDT（Common Data Table）、TOT（Time Offset Table）、LIT（Local Event Information Table）、ERT（Event Relation Table）、ITT（Index Transmission Table）、NBIT（Network Board Information Table）、LDT（Linked Description Table）などが含まれる。
【００２８】
NITには、チャンネル番号や変調方式、ガードインターバルなど、送信するネットワークに関する情報が記載される。BITには、放送局識別情報や系列情報、各SIテーブルの再送周期、SIの掲載期間、ロゴ情報の伝送方法など、放送局のSI送信情報が記載される。SDTには、チャンネルの名称、各チャンネル（サービス）で送出されるEITの種類、デジタルコピー制御情報が記載される。EITには、番組の名称、番組の放送開始時刻、番組の放送時間、番組内容など、番組に関する情報が記載される。EPG（Electronic Program Guide）は主にこの情報を用いて作成される。SDTTには、ディジタル放送受信機の最新ソフトウエアの伝送スケジュールが記載される。CDTには、EPG画面等で表示されるサービス毎に対応したロゴ情報が記載される。TOTには、現在の日付、時刻、およびサマータイムの情報が記載される。
【００２９】
地上ディジタル放送では、固定受信機での表示を目的としたH-EIT、移動受信機での表示を目的としたM-EIT、部分受信機での表示を目的としたL-EITが運用されており、ワンセグ放送では、L-EITの番組情報が放送波に存在し、ユーザが選択しているチャンネルで現在放送中の番組の番組情報と、次に放送される番組の番組情報とが少なくとも提供される。現在放送中の番組を基準として次の次以降の番組の番組情報については、放送局が任意で、現在放送中の番組を含めて最大で１０番組の番組情報を提供することができるようになされている。
【００３０】
すなわち、ワンセグ放送によってテレビジョン番組や番組情報が提供されるため、パーソナルコンピュータ１のユーザは、パーソナルコンピュータ１を用いて外出先で番組を視聴したり番組情報を取得することができる。放送される番組の映像は、パーソナルコンピュータ１に用意されるアプリケーション（以下、適宜、モバイルTV(Television)アプリケーションという）によって、ディスプレイ２１に表示される（番組の音声もスピーカから出力される）。
【００３１】
図２は、モバイルTVアプリケーションによってディスプレイ２１に表示される画面の例を示す図である。
【００３２】
モバイルTVアプリケーションが起動したとき、図２に示されるように、パーソナルコンピュータ１に搭載されるOS(Operating System)によって表示されるデスクトップ画面の右端に、番組の映像を含む、ワンセグ放送に関する情報が表示される画面（ウインドウ）が表示される。
【００３３】
このように、ワンセグ放送に関する情報が表示される画面がデスクトップ画面の端に表示されるから、ユーザは、ワンセグ放送に関する情報が表示される画面以外の部分にワープロソフトウエアの画面やWebブラウザの画面などを表示させ、番組を視聴しながら、各種の作業を行うことができる。
【００３４】
モバイルTVアプリケーションによって表示される画面だけを取り出したものを図３に示す。
【００３５】
図３に示されるように、モバイルTVアプリケーションによって表示される画面は、基本的に、番組表示部３１とリスト表示部３２から構成される。
【００３６】
番組表示部３１には、映像表示部４１、再生情報表示部４２、および、再生中の番組に対してユーザが各種の操作を行うときに操作されるボタンが表示される。なお、番組表示部３１の上端には、放送波の受信状況を表すアイコンや図３の画面を閉じるときに操作されるボタンなども表示される。
【００３７】
映像表示部４１には、ユーザにより選択されたチャンネルによって現在放送中の番組の映像や、録画済みの番組の中からユーザにより選択された番組の映像が所定の解像度で表示される。映像表示部４１に映像が表示されている番組が、ユーザが視聴中の番組となる。
【００３８】
再生情報表示部４２には、ユーザが視聴中の番組の情報（再生情報）が表示される。再生情報として、例えば、番組のタイトルや、ユーザが視聴中の番組の放送時間を全体で表すシークバーなどが表示される。シークバーの上には、現在の視聴位置を表すポインタなども表示される。
【００３９】
図３の例においては、ユーザが視聴中の番組のタイトルは「スーパーワールド」とされ、この「スーパーワールド」は、２２時００分から２３時００分までの間に放送される番組とされている。
【００４０】
再生情報表示部４２の下には、視聴中の番組に対してユーザが各種の操作を行うときに操作されるボタンとして、番組の再生を一時停止させるときに操作される一時停止ボタン４３、番組の再生を停止させるときに操作される停止ボタン４４、番組の巻き戻しを行うときに操作される巻き戻しボタン４５、番組の早送りを行うときに操作される早送りボタン４６、および、番組の録画を行うときに操作される録画ボタン４７が表示されている。
【００４１】
また、音量を調節するときに操作される音量ボタン４８、チャンネルを切り替えるときに操作されるチャンネル切り替えボタン４９も表示されている。
【００４２】
リスト表示部３２には、テレビタブ６１が選択されているとき、受信可能なチャンネルのリストが表示され、ビデオタブ６２が選択されているとき、録画済みの番組のリストが表示される。
【００４３】
図３の例においては、テレビタブ６１が選択され、上から、「６１１CH  総合TV」、「６２１CH  教育TV」、「６４１CH  チャンネル４」、・・・が、選択可能なチャンネルのチャンネル番号とチャンネル名としてリスト表示されている。また、L-EITデータを取得することができたものについては、番組のタイトルと放送開始時刻がチャンネル番号とチャンネル名の下に表示されている。チャンネル番号、チャンネル名、番組のタイトル、放送開始時刻などの情報はL-EITデータに含まれる情報に基づいて表示されるものである。
【００４４】
ユーザは、テレビタブ６１を選択したときに一覧表示されるチャンネルの中から所定のチャンネルを選択し、選択したチャンネルで放送中の番組を視聴することができる。
【００４５】
図３の例においては、斜線を付して示すように、リスト表示されているチャンネルの中から「６６１CH  テレビ６」のチャンネルが選択されている。すなわち、図３の映像表示部４１に表示されている映像は、この「６６１CH  テレビ６」のチャンネルで放送されている番組の映像である。
【００４６】
また、図３の例においては、「６２１CH  教育TV」のチャンネルの欄、「６４１CH  チャンネル４」のチャンネルの欄、「６６１CH  テレビ６」のチャンネルの欄の右端にはそれぞれボタン７１乃至７３が表示されている。これらのボタン７１乃至７３は、番組の詳細を表示するときに操作されるボタンであり、例えば、ボタン７１が押されたとき、「６２１CH  教育TV」のチャンネルで放送される番組の詳細が表示される。
【００４７】
また、チャンネルのリストの下には更新ボタン７４が表示されている。更新ボタン７４が押されたとき、チャンネルの欄に表示されている番組のタイトル、放送開始時刻の情報が最新の情報に更新される。
【００４８】
なお、リスト表示部３２にリスト表示されているチャンネルの中から所定のチャンネルが選択された場合に、選択チャンネルのL-EITデータを取得する処理の例の詳細については、図７以降に詳述する。
【００４９】
図４は、モバイルTVアプリケーションによってディスプレイ２１に表示される他の画面の例を示す図である。
【００５０】
図４に示されるように、モバイルTVアプリケーションによって表示される画面を構成する番組表示部３１とリスト表示部３２のうち、番組表示部３１だけを好みの場所に抜き出すことができるようになされている。
【００５１】
すなわち、画面の表示モードとして、番組表示部３１の位置が固定となる固定モードが選択されているとき図２の画面が表示され、番組表示部３１の位置を自由に動かすことができるフロートモードが選択され、番組表示部３１の位置が移動されたとき図４の画面が表示される。番組表示部３１の位置の移動は、例えば、番組表示部３１の上端などの所定の位置にカーソルをあて、ドラックすることなどによって行われる。
【００５２】
また、フロートモードを選択しているとき、映像表示部４１に表示される映像の解像度を自由に選択することもできるようになされている。
【００５３】
なお、番組表示部３１の位置が移動されたとき、図４に示されるように、固定モードのときに番組表示部３１が表示されていた部分にまでリスト表示部３２の表示範囲は拡大される。
【００５４】
図５は、以上のような画面表示を行うパーソナルコンピュータ１のハードウエア構成例を示すブロック図である。
【００５５】
CPU(Central Processing Unit)１０１は、ROM(Read Only Memory)１０２、または記憶部１０９に記憶されているプログラムに従って各種の処理を実行する。RAM(Random Access Memory)１０３には、CPU１０１が実行するプログラムやデータなどが適宜記憶される。これらのCPU１０１、ROM１０２、およびRAM１０３は、バス１０４により相互に接続されている。
【００５６】
CPU１０１にはまた、バス１０４を介して入出力インターフェース１０５が接続されている。入出力インターフェース１０５には、ワンセグチューナ１０６が接続されている。
【００５７】
ワンセグチューナ１０６は、アンテナ２２によって受信されたワンセグ放送波から、ユーザにより選択されたチャンネルで放送されている番組のデータ（映像、音声のデータ）やL-EITデータを取得し、取得した番組のデータとL-EITデータを、出力部１０８を構成するディスプレイ２１に入出力インターフェース１０５を介して出力する。出力部１０８においては、ワンセグチューナ１０６から供給されたデータに基づいて、上述したような形で番組の映像やチャンネルのリストなどが表示される。
【００５８】
また、パーソナルコンピュータ１には番組を録画する機能も用意されており、番組を録画するとき、ワンセグチューナ１０６は、取得した番組のデータを入出力インターフェース１０５を介して記憶部１０９に出力し、記憶させる。
【００５９】
入出力インターフェース１０５には、キーボード、マウスなどよりなる入力部１０７、ディスプレイ２１、スピーカなどよりなる出力部１０８が接続されている。CPU１０１は、入力部１０７から入力されるユーザによる操作に対応して各種の処理を実行する。
【００６０】
入出力インターフェース１０５に接続されている記憶部１０９は、例えばハードディスクからなり、CPU１０１が実行するプログラムや、ワンセグチューナ１０６から供給された番組のデータなどの各種のデータを記憶する。通信部１１０は、インターネットやローカルエリアネットワークなどのネットワークを介して外部の装置と通信を行う。
【００６１】
入出力インターフェース１０５に接続されているドライブ１１１は、磁気ディスク、光ディスク、光磁気ディスク、或いは半導体メモリなどのリムーバブルメディア１１２が装着されたとき、それらを駆動し、そこに記録されているプログラムやデータなどを取得する。取得されたプログラムやデータは、必要に応じて記憶部１０９に転送され、記憶される。
【００６２】
図６は、パーソナルコンピュータ１の機能構成例を示すブロック図である。図６に示す機能部のうちの少なくとも一部は、図５のCPU１０１によりモバイルTVアプリケーションが実行されることによって実現される。
【００６３】
図６に示されるように、パーソナルコンピュータ１においては、受信制御部１２１、番組情報取得部１２２、表示制御部１２３、DB(Data Base)１２４、およびデータ管理部１２５が実現される。
【００６４】
受信制御部１２１は、ワンセグチューナ１０６を制御し、ワンセグ放送波から、ユーザにより選択されたチャンネルで放送されている番組のデータやL-EITデータを取得する。受信制御部１２１は、放送中の番組の映像とチャンネルのリストが表示される図２に示されるような画面を表示させるとき、取得した番組のデータやL-EITデータを表示制御部１２３に出力する。また、受信制御部１２１は、データ管理部１２５によりL-EITデータの取得が指示されたとき、ワンセグチューナ１０６を制御し、データ管理部１２５により指示されたチャンネルのL-EITデータを取得する。取得したL-EITデータは、番組情報取得部１２２にも出力される。
【００６５】
番組情報取得部１２２は、受信制御部１２１から供給されたL-EITデータに記述されている番組の名称、番組の放送開始時刻、番組の放送時間、番組内容など、番組に関する情報（以下、適宜、番組情報という）を取得し、それをDB１２４に記憶させる。
【００６６】
表示制御部１２３は、受信制御部１２１から供給された番組のデータを再生し、番組の映像をディスプレイ２１に表示させ、音声をスピーカから出力させる。また、表示制御部１２３は、番組の映像を表示させるとともに、L-EITデータに基づいて、受信可能なチャンネルのリストをディスプレイ２１に表示させる。これにより、図２に示されるような画面が表示される。さらに、表示制御部１２３は、データ管理部１２５から供給されたL-EITデータに記述されている番組情報を、図２に示される画面のリスト表示部３２に表示させる。
【００６７】
DB１２４には、番組情報取得部１２２から供給された番組情報が記憶され、データ管理部１２５により管理される。
【００６８】
データ管理部１２５は、DB１２４に記憶されている現在放送中の番組の番組情報を読み出し、読み出した番組情報を表示制御部１２３に出力する。またデータ管理部１２５は、DB１２４に記憶されている各チャンネルの番組情報を管理し、番組情報が枯渇するタイミングで、番組情報が枯渇するチャンネルのL-EITデータの取得を受信制御部１２１に指示する。具体的には、例えば、データ管理部１２５は、番組情報に含まれる番組の放送開始時刻と放送時間に基づいて放送終了時刻を算出し、その放送終了時刻を番組情報が枯渇するタイミングとしてDB１２４に記憶させ、放送終了時刻の所定時間前になったとき、受信制御部１２１に対してL-EITデータの取得を指示する。
【００６９】
次に、リスト表示部３２にリスト表示されているチャンネルの中から所定のチャンネルが選択された場合に、選択チャンネルのL-EITデータを取得する処理の例の詳細について説明する。
【００７０】
図７は、リスト表示部３２の表示例を示す図である。
【００７１】
図７の例においては、テレビタブ６１がユーザにより選択され、上から、「６１１CH  総合TV」、「６２１CH  教育TV」、「６４１CH  チャンネル４」、・・・が選択可能なチャンネルのチャンネル番号とチャンネル名としてリスト表示されている。また斜線を付して示すように、リスト表示されているチャンネルのうち、「６６１CH  テレビ６」のチャンネル（「テレビ６」で放送される番組の情報の欄）が選択されている。この「６６１CH  テレビ６」のチャンネルは、ユーザがリスト表示を指示する直前に見ていた番組のチャンネルである。リスト表示部３２において、ユーザは入力部１０７を操作してカーソルを移動させることによって、リスト表示されているチャンネルの中から選局したいチャンネルを選択することができる。
【００７２】
図示は省略するが、ユーザにより、ビデオタブ６２に切り替える操作が行われたとき、録画済みの番組のリストが表示される。
【００７３】
図７において、「６６１CH  テレビ６」のチャンネルが選択されると、受信制御部１２１は、ワンセグチューナ１０６を制御して「テレビ６」のチャンネルを選局させ、「テレビ６」のチャンネルのL-EITデータを取得することができる。番組情報取得部１２２は、受信制御部１２１から供給されたL-EITデータに記述されている番組の名称、番組の放送開始時刻、番組の放送時間、番組内容など、番組に関する情報を取得し、DB１２４に記憶させる。データ管理部１２５は、DB１２４に記憶されている現在放送中の番組の番組情報を読み出して表示制御部１２３に出力し、「テレビ６」のチャンネルの欄に現在放送中の番組名を表示させる。
【００７４】
図８は、「テレビ６」のチャンネルのL-EITデータから現在放送中の番組情報が取得され、現在放送中の番組名が表示された場合のリスト表示部３２の表示例を示す図である。
【００７５】
図８の例においては、「６６１CH  テレビ６」のチャンネルの欄に「22:00  スーパートピックス」が表示されるとともに、この「スーパートピックス」の番組の詳細情報を表示するときに操作されるボタン１３１が表示される。すなわち、ユーザが現在視聴中の番組のタイトルは「スーパートピックス」とされ、この「スーパートピックス」は、２２時００分から放送される番組であることがわかる。
【００７６】
また、選局により取得されたL-EITデータに記述されている番組の名称、番組の放送開始時刻、番組の放送時間、番組内容など、番組に関する情報は、あらかじめ用意されたテーブルに記述され、DB１２４に記憶される。
【００７７】
図９は、DB１２４に記憶されるテーブルの例を示す図である。
【００７８】
図９の例においては、縦方向に時間軸が、それと直交する方向の横方向にチャンネル軸がとられ、番組情報が番組の放送時間に応じた位置に記述され、データ管理部１２５により管理される。
【００７９】
例えば、１CH乃至５CHのチャンネルが存在する場合において、まだどのチャンネルも選局されていない状態では（すなわち、まだL-EITデータが取得されていない状態では）、テーブルには何も記述されない。
【００８０】
ここで、現在の時刻が１７時１０分であり、ユーザにより１CHが選局された場合、受信制御部１２１は、１７時１０分の時点で提供されている１CHのL-EITデータを取得し、番組情報取得部１２２は、その１CHのL-EITデータに記述されている番組情報を取得することができる。
【００８１】
図１０は、１７時１０分の時点でユーザにより１CHが選局され、１CHのL-EITデータに記述されている番組情報が取得された場合のテーブルの例を示す図である。
【００８２】
図１０の例においては、１CHで１７時００分から１８時００分までの間に放送される「番組1-A」の番組情報および１８時００分から１９時００分までの間に放送される「番組1-B」の番組情報が取得され、テーブルに記述されたことを示している。すなわち、１７時１０分の時点で放送中の「番組1-A」およびそれに続く次の番組である「番組1-B」の番組情報を含むL-EITデータが取得され、それらの番組情報がテーブルで管理される。またこのとき、リスト表示部３２の「１CH」のチャンネルの欄には、現在放送中の「番組1-A」の番組名、および、その「番組1-A」の詳細情報を表示するときに操作されるボタンが表示される。
【００８３】
そして、ユーザが１CHの「番組1-A」を視聴し続け、「番組1-A」の放送終了時刻であって次の「番組1-B」の放送開始時刻である１８時００分になると、リスト表示部３２の「１CH」のチャンネルの欄には、「番組1-B」の番組名が表示される。
【００８４】
上述したように、現在選局しているチャンネルの現在の番組情報および次の番組情報を取得することができるようになされているため、次の番組である「番組1-B」の放送が開始されると、「番組1-B」の次の番組の番組情報を含むL-EITデータが新たに取得される。
【００８５】
図１１は、「番組1-B」の放送開始時刻になったときに、１CHのL-EITデータに新たに記述されている番組情報が取得された場合のテーブルの例を示す図である。
【００８６】
図１１の例においては、１CHで１９時００分から２０時００分までの間に放送される「番組1-C」の番組情報が新たに取得され、テーブルに記述されたことを示している。すなわち、１８時００分の時点で放送中の「番組1-B」に続く次の番組である「番組1-C」の番組情報を含むL-EITデータが取得され、その「番組1-C」の番組情報がテーブルで管理される。またこのとき、リスト表示部３２の「１CH」のチャンネルの欄には、現在放送中の「番組1-B」の番組名、および、その「番組1-B」の詳細情報を表示するときに操作されるボタンが表示される。
【００８７】
ところで上述したように、ワンセグ放送の場合、受信制御部１２１は、現在選局されているチャネルのL-EITデータしか取得することができないため、例えば、一度１CHを選局して「番組1-A」と「番組1-B」の番組情報を含むL-EITデータを取得した後、ユーザによりテレビ視聴が中断された（例えば、録画済ビデオの再生に切り替えられた）場合、どのチャンネルにも選局していないため、L-EITデータを取得することができない状態になる。この状態においてテーブルに番組情報が記述されていない時刻になると、表示制御部１２３は、リスト表示部３２の「１CH」のチャンネルの欄に、現在放送中の番組の番組名を表示させることができなくなる。
【００８８】
具体的には、例えば、図１２に示すように、「番組1-A」と「番組1-B」の番組情報がテーブルに記述されている状態において、１７時５０分の時点でテレビ視聴が中断された場合、受信制御部１２１は、１７時５０分以降に提供されるL-EITデータを取得することができない状態になる。そして、「番組1-B」の放送終了時刻である１９時００分になると、図１３に示されるように、「番組1-B」の番組情報に続く情報は存在しなくなる。
【００８９】
一方、図１２に示すように、「番組1-A」と「番組1-B」の番組情報がテーブルに記述されている状態において、１７時５０分の時点でユーザにより３CHが選局された場合、受信制御部１２１は、１７時５０分の時点で提供されている３CHのL-EITデータを取得し、番組情報取得部１２２は、その３CHのL-EITデータに記述されている番組情報を新たに取得することができる。
【００９０】
図１４は、１CHに「番組1-A」と「番組1-B」の番組情報がテーブルに記述されている状態において、１７時５０分の時点でユーザにより３CHが選局され、３CHのL-EITデータに記述されている番組情報が取得された場合のテーブルの例を示す図である。
【００９１】
図１４の例においては、３CHで１７時００分から１９時００分までの間に放送される「番組3-A」、１９時００分から２０時００分までの間に放送される「番組3-B」、２０時００分から２０時３０分までの間に放送される「番組3-C」、２０時３０分から２１時までの間に放送される「番組3-D」、２１時００分から２２時００分までの間に放送される「番組3-E」、および２２時００分から２３時００分までの間に放送される「番組3-F」の番組情報が取得され、テーブルに記述されたことを示している。すなわち、１７時５０分の時点で放送中の「番組3-A」およびそれに続く次の番組である「番組3-B」乃至「番組3-F」の番組情報を含むL-EITデータが取得され、それらの番組情報がテーブルで管理される。
【００９２】
またこのとき、リスト表示部３２の「３CH」のチャンネルの欄には、現在放送中の「番組3-A」の番組名、および、その「番組3-A」の詳細情報を表示するときに操作されるボタンが表示され、「１CH」のチャンネルの欄には、現在放送中の「番組1-A」の番組名、および、その「番組1-A」の詳細情報を表示するときに操作されるボタンが表示される。ここで、「番組1-A」の番組名を表示し続けることができるのは、テーブルに１CHの「番組1-A」の番組情報が既に記述され管理されているためである。
【００９３】
しかしながら、ユーザが３CHの番組を視聴し続け、１CHの「番組1-B」の放送終了時刻である１９時００分以降になると、図１５に示されるように、１CHの番組情報が枯渇し、表示制御部１２３は、リスト表示部３２の「１CH」のチャンネルの欄に、現在放送中の番組の番組名を表示させることができなくなる。
【００９４】
そこで、テレビ視聴されていない状態（つまり、ワンセグチューナ１０６が使用されていない状態）において、番組情報が枯渇するチャンネルを自動的に選局することで、すべてのチャンネルの現在放送中の番組情報を取得し、表示させることができるようにする。
【００９５】
図１６は、１７時２０分の時点で既にテーブルに記述されている１CH乃至５CHの番組情報の取得状況の例を示す図である。
【００９６】
図１６の例においては、１CHで１７時００分から１８時００分までの間に放送される「番組1-A」および１８時００分から１９時００分までの間に放送される「番組1-B」の番組情報が取得され、２CHで１７時００分以前から１７時３０分までの間に放送される「番組2-A」、１７時３０から１８時００分までの間に放送される「番組2-B」、・・・２３時３０分から２４時００分までの間に放送される「番組2-J」の番組情報が取得され、３CHで１７時００から１９時００分までの間に放送される「番組３-A」、１９時００分から２０時００分までの間に放送される「番組3-B」、・・・２２時００分から２３時００分までの間に放送される「番組3-F」の番組情報が取得され、４CHで１７時００分から１８時３０分までの間に放送される「番組4-A」、１８時３０分から２０時００分までの間に放送される「番組4-B」、２０時００分から２１時００分までの間に放送される「番組4-C」の番組情報が取得され、５CHで１７時００分以前から１８時３０分までの間に放送される「番組5-A」、１８時３０分から２０時００分までの間に放送される「番組5-B」の番組情報が取得され、それぞれテーブルに記述されたことを示している。
【００９７】
またこのとき、リスト表示部３２の「１CH」乃至「５CH」のチャンネルの欄には、それぞれ、現在放送中の「番組1-A」、「番組2-A」、「番組3-A」、「番組4-A」、「番組5-A」の番組名、および、各番組の詳細情報を表示するときに操作されるボタンが表示される。
【００９８】
図１６に示すような番組情報がテーブルに記述されている状態において、図１７に示されるように、現在の時刻が１９時１０分のとき、リスト表示部３２の「２CH」乃至「５CH」のチャンネルの欄には、それぞれ「番組2-E」、「番組3-B」、「番組4-B」、「番組5-B」の番組名、および、各番組の詳細情報を表示するときに操作されるボタンが表示される。しかしながら、１CHは、「番組1-B」の放送終了時刻である１９時００分以降になると番組情報が枯渇するため、表示制御部１２３は、リスト表示部３２の「１CH」のチャンネルの欄に、現在放送中の番組の番組名を表示させることができなくなる。
【００９９】
そこで例えば、データ管理部１２５は、１CHの番組情報が枯渇する所定時間（例えば１０分）前になったとき（いまの場合、１８時５０分になったとき）、受信制御部１２１に１CHを選局させ、１８時５０分の時点で提供される１CHのL-EITデータを取得させる。これにより、番組情報取得部１２２は、図１８に示されるように、１９時００分以降に１CHで放送される「番組1-C」の番組情報を取得し、テーブルに記述することができる。そして、表示制御部１２３は、１９時００分になってもリスト表示部３２の「１CH」のチャンネルの欄に、現在放送中の「番組1-C」の番組名を表示させることができる。
【０１００】
同様に、図１８に示すような番組情報がテーブルに記述されている状態において、現在の時刻が２０時００分になると、１CHと５CHの番組情報が枯渇するため、表示制御１２３は、リスト表示部３２の「１CH」と「５CH」のチャンネルの欄に、現在放送中の番組の番組名を表示させることができなくなる。
【０１０１】
そこで上述したように、例えば、データ管理部１２５は、１CHと５CHの番組情報が枯渇する所定時間（例えば１０分）前になったとき（いまの場合、１９時５０分になったとき）、まず、受信制御部１２１に１CHを選局させ、１９時５０分の時点で提供されている１CHのL-EITデータを取得させる。続いて、データ管理部１２５は、受信制御部１２１に５CHを選局させ、１９時５０分の時点で提供されている３CHのL-EITデータを取得させる。これにより、番組情報取得部１２２は、図１９に示されるように、２０時００分以降に１CHで放送される「番組1-D」の番組情報、および、５CHで放送される「番組５-C」乃至「番組5-F」の番組情報を取得し、テーブルに記述することができる。そして、表示制御部１２３は、２０時００分になってもリスト表示部３２の「１CH」と「５CH」のチャンネルの欄に、現在放送中の「番組1-D」と「番組5-C」の番組名をそれぞれ表示させることができる。
【０１０２】
なお、図１８に示したように番組情報が枯渇するタイミングが同時刻であった場合、若いチャンネルの順で選局するようにしたが、これに限らず、例えば、最後に視聴していたチャンネル、あるいは、ユーザがよく視聴するチャンネルなどの優先順位で選局するようにしてもよい。
【０１０３】
以上のように、番組情報が枯渇する所定時間前にのみ、番組情報が枯渇するチャンネルを選局して新たなL-EITデータを取得するようにしたので、定期的にL-EITデータを取得する場合に較べ、バッテリ消費を抑えることができる。すなわち、ワンセグチューナ１０６を効率的に使用することにより、無駄な処理が低減し、バッテリ消費を極力抑えることができる。
【０１０４】
また以上においては、番組情報に含まれる番組の放送開始時刻と放送時間に基づいて放送終了時刻（番組情報が枯渇する時刻）を算出し、その放送終了時刻をDB１２４に記憶させることで、番組情報が枯渇する所定時間前に新たなL-EITデータを取得するようにしたが、これに限らず、所定時間前でなくとも番組情報が枯渇する時刻になったときに新たなL-EITデータを取得するようにしてもよいし、あるいは、番組情報が枯渇する時刻を記憶させなくても番組情報が枯渇したと判断したときに新たなL-EITデータを取得するようにしてもよい。
【０１０５】
次に、図２０のフローチャートを参照して、パーソナルコンピュータ１が実行する、以上のような番組情報取得処理について説明する。この処理は、モバイルTVアプリケーションが起動されたときに開始される。
【０１０６】
ユーザによりモバイルTVアプリケーションが起動されたとき、現在放送中の番組のデータと、その番組のL-EITデータが受信制御部１２１から表示制御部１２３に出力される。このとき、前回モバイルTVアプリケーションが起動されたときに最後に視聴されていた番組のチャンネルが選択される。
【０１０７】
ステップＳ１において、受信制御部１２１は、チャンネルが選択されたか否かを判定し、チャンネルが選択されるまでこの処理を繰り返し実行する。なお、ステップＳ１において、チャンネルが選択されたと判定されるのは、前回モバイルTVアプリケーションが起動されたときに最後に視聴されていた番組のチャンネルが選択される場合か、あるいは、ユーザにより入力部１０７が操作されて所望のチャンネルが新たに選択される場合のいずれかである。
【０１０８】
ステップＳ１において、チャンネルが選択されたと判定された場合、ステップＳ２に進み、受信制御部１２１は、ワンセグチューナ１０６を制御し、アンテナ２２からのワンセグ放送波から、選択されたチャンネルを選局させる。受信制御部１２１は、ステップＳ３において、ワンセグ放送波からL-EITデータを取得し、ステップＳ４において、TOTから現在時刻を取得する。
【０１０９】
ステップＳ５において、番組情報取得部１２２は、ステップＳ３の処理で取得したL-EITデータの中からステップＳ４の処理で取得した現在時刻に放送されている番組情報を取得する。ステップＳ６において、番組情報取得部１２２は、ステップＳ５の処理で取得した番組情報をテーブル（図９）に記述してDB１２４に記憶させる。データ管理部１２５は、DB１２４に記憶されている番組情報のテーブルを管理するとともに、現在放送中の番組名を読み出して表示制御部１２３に出力する。またデータ管理部１２５は、番組情報に含まれる番組の放送開始時刻と放送時間に基づいて放送終了時刻（番組情報が枯渇する時刻）を算出し、その放送終了時刻をDB１２４に記憶させることで、番組情報が枯渇するタイミングを管理する。
【０１１０】
ステップＳ７において、表示制御部１２３は、データ管理部１２５から供給される現在放送中の番組名をリスト表示部３２に表示させる。その後、再びステップＳ１の処理に戻り、上述した処理が繰り返される。
【０１１１】
ステップＳ１において、チャンネルが選択されていないと判定された場合、ステップＳ８に進み、受信制御部１２１は、テレビ視聴中であるか否かを判定し、テレビ視聴中であると判定した場合、ステップＳ１に戻る。すなわち、ユーザによりテレビ視聴されている間、ステップＳ１乃至Ｓ７の処理が繰り返される。
【０１１２】
ステップＳ８において、テレビ視聴中ではないと判定された場合（テレビ視聴が中断された場合）、ステップＳ９に進み、データ管理部１２５は、DB１２４に記憶させている番組情報が枯渇するタイミングに基づいて、番組情報が枯渇する所定の時間前（例えば１０分前）になった否かを判定する。
【０１１３】
ステップＳ９において、番組情報が枯渇する所定の時間前になっていないと判定された場合、ステップＳ８に戻り、上述した処理が繰り返される。そして、ステップＳ９において、番組情報が枯渇する所定の時間前になったと判定された場合、ステップＳ１０に進み、受信制御部１２１は、ワンセグチューナ１０６を制御し、アンテナ２２からのワンセグ放送波から、番組情報が枯渇するチャンネルを選局させる。受信制御部１２１は、ステップＳ１１において、ワンセグ放送波からL-EITデータを取得し、ステップＳ１２において、TOTから現在時刻を取得する。
【０１１４】
ステップＳ１３において、番組情報取得部１２２は、ステップＳ１１の処理で取得したL-EITデータの中からステップＳ１２の処理で取得した現在時刻に放送されている番組情報を取得し、取得した番組情報をテーブルに記述してDB１２４に記憶させる。ステップＳ１４において、データ管理部１２５は、DB１２４に記憶されている番組情報のテーブルを管理するとともに、現在放送中の番組名を読み出して表示制御部１２３に出力する。またデータ管理部１２５は、番組情報に含まれる番組の放送開始時刻と放送時間に基づいて放送終了時刻（番組情報が枯渇する時刻）を算出し、その放送終了時刻をDB１２４に記憶させることで、番組情報が枯渇するタイミングを管理する。
【０１１５】
ステップＳ１５において、表示制御部１２３は、データ管理部１２５から供給される現在放送中の番組名をリスト表示部３２に表示させる。その後、再びステップＳ８の処理に戻り、上述した処理が繰り返される。すなわち、テレビ視聴が中断されている間、ステップＳ９乃至Ｓ１５の処理が繰り返される。
【０１１６】
以上の処理によって、番組情報が枯渇するタイミングになったときにのみワンセグチューナ１０６を駆動させ、L-EITデータを取得するようにしたので、極力バッテリ消費を抑えつつ、途切れることなく番組情報を表示させることができる。これにより、ユーザは、視聴していないチャンネルをあえて選局しなくても番組情報を常に表示させることができ、全ての番組情報を容易に把握することができる。
【０１１７】
以上においては、リスト表示部３２に、受信可能なチャンネルのチャンネル番号、チャンネル名、および現在放送中の番組の番組名が表示されるが、ユーザは、さらにその番組の詳細を知りたい場合、リスト表示部３２のチャンネルの欄に表示されるボタンを操作することにより、番組の詳細を表示させることができる。
【０１１８】
例えば、図２１に示すリスト表示部３２において、「６１１CH  MHK携帯G・東京  １６：００  大相撲初場所−五日目」のチャンネルの欄が選択されており、そのチャンネルの欄に表示されているボタン１４１がユーザにより選択されると、図２２に示されるように、デスクトップ画面の右端に表示されているワンセグ放送に関する情報の画面の左隣に番組詳細画面１５１が表示される。
【０１１９】
図２３は、番組詳細画面１５１だけを取り出したもの示す図である。
【０１２０】
図２３に示されるように、番組詳細画面１５１は、基本的に、番組リスト表示部１６１と番組詳細情報表示部１６２から構成される。
【０１２１】
番組リスト表示部１６１には、ユーザにより選択されたチャンネルによって放送中および放送予定の番組に関する番組情報がリスト表示される。すなわち、ここでリスト表示される番組情報は、テーブルで管理されている番組情報である。
【０１２２】
番組詳細情報表示部１６２には、ユーザによりいま選択されている番組に関する番組情報の詳細情報が表示される。
【０１２３】
図２３の例においては、ユーザにより選択されたチャンネルは「６１１CH  MHK携帯G・東京」とされ、このチャンネルによって現在放送中の番組名である「１６：００  大相撲初場所−五日目−「新十両紹介」・・・」、および放送予定の番組名である「１８：００  ニュース」、「１８：１０  関東ネットワーク」、・・・が番組情報として番組リスト表示部１６１にリスト表示されている。
【０１２４】
また、番組詳細情報表示部１６２には、ユーザによりいま選択されている番組名である「１６：００  大相撲初場所−五日目−「新十両紹介」・・・」の詳細情報が表示されている。
【０１２５】
さらに、番組詳細情報表示部１６２の下には、録画ボタン１６３および選局ボタン１６４が表示されている。録画ボタン１６３が押されたとき、ユーザによりいま選択されている番組の録画が開始される。なお、いま選択されている番組が現在放送中ではなく放送予定の番組である場合、録画ボタン１６３が押されたとき、番組の録画が予約される。選局ボタン１６４が押されたとき、ユーザによりいま選択されている番組が選局される。
【０１２６】
このような番組詳細画面１５１を表示させることによって、ユーザは、リスト表示される番組名の確認を行うだけでなく、気になる番組の詳細情報を容易に確認することができる。またユーザは、この番組詳細画面１５１から録画を行ったり、選局したりすることができるため、操作性が向上する。
【０１２７】
さらに、番組詳細画面１５１は、各チャンネル毎に表示させることができる。
【０１２８】
図２４は、複数の番組詳細画面の表示例を示す図である。
【０１２９】
図２４の例においては、ユーザにより、「６１１CH  MHK携帯G・東京  １６：００  大相撲初場所−五日目」のチャンネルの欄に表示されているボタン１７１が選択されることにより、番組詳細画面１８１が表示され、「６２１CH  MHK携帯E・東京  １６：２０  おとうさんといっしょ」のチャンネルの欄に表示されているボタン１７２が選択されることにより、番組詳細画面１８２が表示され、「６６１CH  ABS  １３：３０  １セグ試験放送・昼さがり」のチャンネルの欄に表示されているボタン１７３が選択されることにより、番組詳細画面１８３が表示されている。
【０１３０】
このように複数の番組詳細画面１８１乃至１８３を表示させることによって、ユーザは、各チャンネルで気になる番組の詳細情報を並べて確認することができる。これにより、ユーザは、現在視聴する番組を短時間で決定し、選局することができる。
【０１３１】
以上においては、本発明をパーソナルコンピュータに適用した場合について説明したが、本発明は、ワンセグチューナを有する様々な機器に適用することが可能である。
【０１３２】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１３３】
コンピュータにインストールされ、コンピュータによって実行可能な状態とされるプログラムを格納するプログラム記録媒体は、図５に示すように、磁気ディスク（フレキシブルディスクを含む）、光ディスク（CD-ROM(Compact Disc-Read Only Memory)，DVD(Digital Versatile Disc)を含む）、光磁気ディスク、もしくは半導体メモリなどよりなるパッケージメディアであるリムーバブルメディア１１２、または、プログラムが一時的もしくは永続的に格納されるROM１０２や、記憶部１０９を構成するハードディスクなどにより構成される。プログラム記録媒体へのプログラムの格納は、必要に応じてルータ、モデムなどのインターフェースである通信部１１０を介して、ローカルエリアネットワーク、インターネット、ディジタル衛星放送といった、有線または無線の通信媒体を利用して行われる。
【０１３４】
なお、本明細書において、プログラムを記述するステップは、記載された順序に沿って時系列的に行われる処理はもちろん、必ずしも時系列的に処理されなくとも、並列的あるいは個別に実行される処理をも含むものである。
【０１３５】
なお、本発明の実施の形態は、上述した実施の形態に限定されるものではなく、本発明の要旨を逸脱しない範囲において種々の変更が可能である。
【図面の簡単な説明】
【０１３６】
【図１】本発明の一実施形態に係るパーソナルコンピュータの外観構成の例を示す斜視図である。
【図２】画面の表示例を示す図である。
【図３】図２の画面の一部を示す図である。
【図４】画面の表示例を示す他の図である。
【図５】パーソナルコンピュータのハードウエア構成例を示すブロック図である。
【図６】パーソナルコンピュータの機能構成例を示すブロック図である。
【図７】リスト表示部の表示例を示す図である。
【図８】リスト表示部の表示の切り替えの例を示す図である。
【図９】テーブルの例を示す図である。
【図１０】番組情報が記述されたテーブルの例を示す図である。
【図１１】番組情報が記述されたテーブルの他の例を示す図である。
【図１２】番組情報が記述されたテーブルの他の例を示す図である。
【図１３】番組情報が記述されたテーブルの他の例を示す図である。
【図１４】番組情報が記述されたテーブルの他の例を示す図である。
【図１５】番組情報が記述されたテーブルの他の例を示す図である。
【図１６】番組情報が記述されたテーブルの他の例を示す図である。
【図１７】番組情報が記述されたテーブルの他の例を示す図である。
【図１８】番組情報が記述されたテーブルの他の例を示す図である。
【図１９】番組情報が記述されたテーブルのさらに他の例を示す図である。
【図２０】パーソナルコンピュータの番組情報取得処理について説明するフローチャートである。
【図２１】リスト表示部の表示例を示す図である。
【図２２】番組詳細画面の表示例を示す図である。
【図２３】図２２の番組詳細画面を拡大した例を示す図である。
【図２４】複数の番組詳細画面の表示例を示す図である。
【符号の説明】
【０１３７】
１  パーソナルコンピュータ，  ２１  ディスプレイ，  ２２  アンテナ，  ３２  リスト表示部，  １２１  受信制御部，  １２２  番組情報取得部，  １２３  表示制御部，  １２４  DB，  １２５  データ管理部
【図１】
2007201683.tif 000003
【図２】
2007201683.tif 000004
【図３】
2007201683.tif 000005
【図４】
2007201683.tif 000006
【図５】
2007201683.tif 000007
【図６】
2007201683.tif 000008
【図７】
2007201683.tif 000009
【図８】
2007201683.tif 000010
【図９】
2007201683.tif 000011
【図１０】
2007201683.tif 000012
【図１１】
2007201683.tif 000013
【図１２】
2007201683.tif 000014
【図１３】
2007201683.tif 000015
【図１４】
2007201683.tif 000016
【図１５】
2007201683.tif 000017
【図１６】
2007201683.tif 000018
【図１７】
2007201683.tif 000019
【図１８】
2007201683.tif 000020
【図１９】
2007201683.tif 000021
【図２０】
2007201683.tif 000022
【図２１】
2007201683.tif 000023
【図２２】
2007201683.tif 000024
【図２３】
2007201683.tif 000025
【図２４】
2007201683.tif 000026